(57)【要約】【課題】１枚ずつの取り出しが容易な収容箱入りシート状物を提供する。【解決手段】収容箱入りシート状物１は、矩形のシート状物１１が揃えられて積層されたシート状物群１０と、シート状物群１０が収容された収容箱３０とを備える。収容箱３０は、細長い筒状で、一方の端面３６の側に、シート状物１１を取り出し可能な取出開口３０ｈが形成されている。取出開口３０ｈは、輪郭が筒状の側面３０ｓの端部で形成されている。シート状物群１０は、広げられた状態から第１の辺１１ａに第２の辺１１ｂを近づけるように曲げられ、これによって生じた曲げ部分１１ｃを第２の辺１１ｂに近づけるように曲げられた状態で、第１の辺１１ａが筒状の軸線３０ａが延びる方向と同じ方向に延びるようにして収容箱３０に収容されている。而して、シート状物群１０から１枚のシート状物１１が分離するときの摩擦抵抗を軽減することができ、１枚ずつ取り出すことが容易になる。【選択図】図１
2015113141.tif 000002
【特許請求の範囲】
【請求項１】
第１の辺と前記第１の辺に対向する第２の辺とを有する矩形のシート状物が、揃えられて積層されたシート状物群と；
前記シート状物群が収容された収容箱とを備え；
前記収容箱は、細長い筒状に形成され、かつ、前記筒状の一方の端面の側に、前記シート状物を取り出し可能な取出開口が形成されるように構成され；
前記取出開口は、輪郭が前記筒状の側面の端部で形成され；
前記シート状物群は、広げられた状態から前記第１の辺に前記第２の辺を近づけるように曲げられて１回曲げ状態が形成され、前記１回曲げ状態において前記第１の辺及び前記第２の辺に対向する曲げ部分を前記第２の辺に近づけるように曲げられて２回曲げ状態が形成され、前記２回曲げ状態で、前記第１の辺が前記筒状の軸線が延びる方向と同じ方向に延びるようにして前記収容箱に収容されている；
収容箱入りシート状物。
【請求項２】
前記シート状物がジッパー袋で構成され；
前記ジッパー袋のジッパーが、前記第１の辺が延びる方向と同じ方向に延びるように形成されている；
請求項１に記載の収容箱入りシート状物。
【請求項３】
前記ジッパー袋は、前記第１の辺にジッパー開口が形成され、前記ジッパーが前記第１の辺の近傍に形成されている；
請求項２に記載の収容箱入りシート状物。
【発明の詳細な説明】
【技術分野】
【０００１】
本発明は収容箱入りシート状物に関し、特に１枚ずつ取り出すことが容易な収容箱入りシート状物に関する。
【背景技術】
【０００２】
食品の保存等に好適に用いられる袋体として、合成樹脂で形成された袋の開口部にジッパーを設け、開口を繰り返し開閉可能に構成したジッパー袋がある。ジッパー袋は、流通に置かれる際、複数枚が丸められて直方体状の収容箱に収容されていることが多い。そして、複数枚のジッパー袋が収容された収容箱は、図４に示すように、直方体を形成する四角筒状の側面に対応する４つの長方形面のうちの１面４３１に、概ね長手方向の９割方にわたる大きな開口４３１ｈが形成され、この開口４３１ｈから、収容されているジッパー袋を取り出すように構成されたものが一般的である。
【発明の概要】
【発明が解決しようとする課題】
【０００３】
しかしながら、上述した従来の収容箱に収容されたジッパー袋は、収容箱からジッパー袋を取り出す際に、摘む手が滑って１枚ずつ取り出すのが難しい場合があった。
【０００４】
本発明は上述の課題に鑑み、１枚ずつ取り出すことが容易な収容箱入りシート状物を提供することを目的とする。
【課題を解決するための手段】
【０００５】
上記目的を達成するために、本発明の第１の態様に係る収容箱入りシート状物は、例えば図１に示すように、第１の辺１１ａと第１の辺１１ａに対向する第２の辺１１ｂとを有する矩形のシート状物１１が、揃えられて積層されたシート状物群１０（例えば図２参照）と；シート状物群１０が収容された収容箱３０とを備え；収容箱３０は、細長い筒状に形成され、かつ、筒状の一方の端面３６の側に、シート状物１１を取り出し可能な取出開口３０ｈが形成されるように構成され；取出開口３０ｈは、輪郭が筒状の側面３０ｓ（３１、３２、３３、３４）の端部で形成され；シート状物群１０は、広げられた状態から第１の辺１１ａに第２の辺１１ｂを近づけるように曲げられて１回曲げ状態が形成され（例えば図３（Ｂ）参照）、１回曲げ状態において第１の辺１１ａ及び第２の辺１１ｂに対向する曲げ部分１１ｃを第２の辺１１ｂに近づけるように曲げられて２回曲げ状態が形成され（例えば図３（Ｃ）参照）、２回曲げ状態で、第１の辺１１ａが筒状の軸線３０ａが延びる方向と同じ方向に延びるようにして収容箱３０に収容されている。
【０００６】
このように構成すると、シート状物群が２回曲げ状態で収容箱に収容されているので、シート状物を収容箱から取り出す際に、シート状物群から１枚のシート状物が分離するときの摩擦抵抗を軽減することができ、１枚ずつ取り出すことが容易になる。
【０００７】
また、本発明の第２の態様に係る収容箱入りシート状物は、例えば図１及び図２に示すように、上記本発明の第１の態様に係る収容箱入りシート状物１において、シート状物がジッパー袋１１で構成され；ジッパー袋１１のジッパー１１ｚが、第１の辺１１ａが延びる方向と同じ方向に延びるように形成されている。
【０００８】
このように構成すると、比較的曲がりにくいジッパーを折り曲げずにシート状物群を収容箱に収容することができ、収まりがよい。
【０００９】
また、本発明の第３の態様に係る収容箱入りシート状物は、例えば図１に示すように、上記本発明の第２の態様に係る収容箱入りシート状物１において、ジッパー袋１１は、第１の辺１１ａにジッパー開口１１ｈ（例えば図２参照）が形成され、ジッパー１１ｚが第１の辺１１ａの近傍に形成されている。
【００１０】
このように構成すると、シート状物群を収容箱に収容したときに、ジッパーが外側になって、２回曲げ状態のシート状物群の中心部側に比較的固いジッパーが来ないので、シート状物をより取り出しやすくすることができる。
【発明の効果】
【００１１】
本発明によれば、シート状物群が２回曲げ状態で収容箱に収容されているので、シート状物を収容箱から取り出す際に、シート状物群から１枚のシート状物が分離するときの摩擦抵抗を軽減することができ、１枚ずつ取り出すことが容易になる。
【図面の簡単な説明】
【００１２】
【図１】本発明の実施の形態に係る箱入りジッパー袋の開封状態の斜視図である。
【図２】本発明の実施の形態に係る箱入りジッパー袋が備えるジッパー袋及びジッパー袋群の斜視図である。
【図３】ジッパー袋群を曲げる手順を示す側面図である。
【図４】従来の箱入りジッパー袋の開封状態の斜視図である。
【発明を実施するための形態】
【００１３】
以下、図面を参照して本発明の実施の形態について説明する。なお、各図において互いに同一又は相当する部材には同一あるいは類似の符号を付し、重複した説明は省略する。
【００１４】
まず図１を参照して、本発明の実施の形態に係る収容箱入りシート状物としての箱入りジッパー袋１を説明する。図１は、箱入りジッパー袋１の開封状態の斜視図である。箱入りジッパー袋１は、シート状物としてのジッパー袋１１が複数積層されたシート状物群としてのジッパー袋群１０と、後述するように曲げられたジッパー袋群１０を収容する収容箱３０とを備えている。
【００１５】
図２を参照して、ジッパー袋１１及びジッパー袋群１０について説明する。図２は、ジッパー袋１１及びジッパー袋群１０の斜視図である。ジッパー袋１１は、ポリエチレン等の合成樹脂で形成された袋の開口部にジッパー１１ｚを設け、ジッパー開口１１ｈを繰り返し開閉可能に構成したものである。ジッパー袋１１は、典型的には、ジッパー開口１１ｈが閉じられた状態において矩形（長方形又は正方形）でシート状の外観を呈しており、本実施の形態では、長方形の外観を呈している。ジッパー袋１１は、典型的には、合成樹脂で形成された１枚の長方形状のシートを、長手方向の中央で折り返し、対向するシートの、折り返した辺に直交する２つの側辺で溶着することによって袋状に形成されている。図２に示す例では、折り返した辺が底辺１１ｂとなり、その対向する辺が開口辺１１ａとなっている。本実施の形態では、開口辺１１ａが第１の辺に相当し、底辺１１ｂが第２の辺に相当する。ジッパー袋１１は、折り返されることによって重ね合わせられた合成樹脂シートが、開口辺１１ａでは溶着されていないため、開口辺１１ａにジッパー開口１１ｈが形成されることとなる。ジッパー袋１１は、開口辺１１ａの近傍に、開口辺１１ａが延びる方向と同じ方向に延びるように（理想的には開口辺１１ａに対して平行に延びるように）ジッパー１１ｚが設けられている。ここで、開口辺１１ａの近傍とは、典型的には、ジッパー１１ｚを支障なく開閉することができるようにジッパー１１ｚと開口辺１１ａとの間のシートを摘むことができるスペースを確保しつつ、ジッパー１１ｚと底辺１１ｂとの間で形成される容積の有効容量を極力大きくするような位置である。ジッパー１１ｚは、本実施の形態では、スライダーがなく、人の手で着脱する線ファスナーで形成されている。
【００１６】
ジッパー袋群１０は、所定の枚数のジッパー袋１１が、広げられた状態で揃えられて構成されている。つまり、ジッパー袋群１０の一辺は、各ジッパー袋１１の開口辺１１ａが揃っており、これに対向する一辺は底辺１１ｂが揃っている。ジッパー袋群１０を構成するジッパー袋１１の所定の枚数は、箱入りジッパー袋１（図１参照）を流通に置く際に収容箱３０（図１参照）に収容される枚数であり、消費者のニーズに合わせて、例えば、６枚、８枚、１０枚、１５枚、２０枚、２５枚、４０枚、６０枚等とすることができ、これら以外の任意の枚数でもよい。
【００１７】
図３を参照して、ジッパー袋群１０を収容箱３０に収容する際の曲げ方を説明する。図３は、ジッパー袋群１０を曲げる手順を示す側面図である。収容箱３０は、後述するように、最大の面積となる面（４つの側面のうちの１つの面）において、ジッパー袋群１０の平面の面積よりも小さい。そのため、ジッパー袋群１０を収容箱３０に収容するために、ジッパー袋群１０を曲げることとする。まず、図３（Ａ）に示すように、ジッパー袋群１０を、水平な台など（不図示）に広げて載置する。次に、底辺１１ｂ側のジッパー袋群１０の端を持ち上げて、底辺１１ｂを開口辺１１ａに近づけるように、ジッパー袋群１０を曲げる（図３（Ｂ）参照）。この図３（Ｂ）に示す、ジッパー袋群１０を１回曲げた状態を、１回曲げ状態ということとする。また、１回曲げ状態のジッパー袋群１０において、開口辺１１ａ及び底辺１１ｂに対向する部分を曲げ部分１１ｃということとする。本実施の形態では、１回曲げ状態において、ジッパー袋群１０の、開口辺１１ａに近接した部分と底辺１１ｂに近接した部分とが接触している。また、本実施の形態では、曲げ部分１１ｃが、鋭角に折り曲げられておらず、湾曲している。なお、１回曲げ状態のジッパー袋群１０において、開口辺１１ａに近接した部分と底辺１１ｂに近接した部分とが接触するか否か、曲げ部分１１ｃの曲がりの程度は、ジッパー袋１１の材質（固さ）に応じて変化し得る。次に、１回曲げ状態のジッパー袋群１０について、曲げ部分１１ｃを底辺１１ｂに近づけるようにしてさらに曲げる（図３（Ｃ）参照）。この図３（Ｃ）に示す、ジッパー袋群１０を２回曲げた状態を、２回曲げ状態ということとする。このようにして、収容箱３０（図１参照）に収容される状態の、２回曲げ状態のジッパー袋群１０が形成される。
【００１８】
再び図１に戻って、収容箱３０について説明する。収容箱３０は、細長い筒状に形成されており、本実施の形態では、筒の軸直角断面が矩形の筒状、すなわち、直方体状に形成されている。ここでいう「細長い」とは、筒状の軸線３０ａ方向の長さが、筒状の端面部分の最大幅よりも大きく、好ましくは筒状の端面部分の最大幅の２倍以上の状態であり、例えば４倍程度であってもよい。収容箱３０は、筒状の４つの側面３０ｓを構成する正面３１、左側面３２、背面３３、右側面３４と、一対の端面に相当する底面３５及び天面３６とを有している。正面３１及び背面３３、並びに左側面３２及び右側面３４は、それぞれ対向している。また、正面３１及び背面３３は、それぞれ、左側面３２及び右側面３４に直交している。底面３５及び収容箱３０の開封前の状態における天面３６は、側面３０ｓのそれぞれに直交している。収容箱３０は、底面３５が台（不図示）等の平面に載置されたときに（以下、この状態を標準状態として説明する。）、鉛直方向に長くなるように形成されている。収容箱３０は、本実施の形態では、型抜きされた板紙が、適宜、折り曲げ、接着されて、直方体状に形成されている。
【００１９】
収容箱３０には、２回曲げ状態のジッパー袋群１０（図３（Ｃ）参照）が、開口辺１１ａと筒状の収容箱３０の軸線３０ａとが同じ方向に延びるようにして収容されている。このとき、２回曲げ状態のジッパー袋群１０において開口辺１１ａと底辺１１ｂ及びジッパー１１ｚとは同じ方向に延びているので、底辺１１ｂ及びジッパー１１ｚも軸線３０ａとが同じ方向に延びていることとなる。収容箱３０は、開封前の状態における高さ方向Ｈの長さが、ジッパー袋１１の開口辺１１ａの長さ（底辺１１ｂの長さに同じ）よりやや大きく形成されている。ここでの「やや大きく」というのは、ジッパー袋１１の開口辺１１ａが高さ方向Ｈに延びるように、かつ、開口辺１１ａの一端が底面３５に接するようにして、ジッパー袋群１０が開封前の収容箱３０に収容されたときに、開口辺１１ａの他端が天面３６に当たらない範囲で、開口辺１１ａの他端と天面３６との隙間が極力小さくなる状態である。また、収容箱３０は、幅方向Ｗの長さ及び奥行き方向Ｄの長さが、２回曲げ状態のジッパー袋群１０を収容したときに、ジッパー袋群１０が２回曲げ状態から１回曲げ状態に戻ろうとする弾性力が側面３０ｓに作用する大きさに形成されていると、小型化の観点から好ましい。
【００２０】
また、収容箱３０は、天面３６の側の端部に、蓋部３８が形成されている。蓋部３８は、天面３６に近接した位置で、側面３０ｓが、背面３４を除いて概ね天面３６に沿って切り込まれることにより形成されている。切り込まれない背面３４には、左側面３２側の切り込み３０ｃの端部と右側面３４側の切り込み３０ｃの端部とを結ぶ直線上に、回動軸線３９が形成されている。なお、切り込み３０ｃが入れられる天面３６に近接した位置は、典型的には、蓋部３８を開けたときに、収容箱３０に収容されたジッパー袋群１０を摘むことができる程度に露出させることができる位置である。また、切り込み３０ｃに関し、概ね天面３６に沿ってとは、天面３６との距離を維持することにこだわらずに、例えば図１に示すように、正面３１側においてジッパー袋１１をより摘みやすくするために、両側面３２、３４において正面３１に近づくにつれて天面３６との距離を大きくし、及び／又は、正面３１において天面３６との距離を一段大きくする場合も含むことを意図している。収容箱３０は、蓋部３８を、回動軸線３９まわりに回動することで開閉することができるように構成されている。収容箱３０は、蓋部３８を開けることで、取出開口３０ｈが形成されることとなる。取出開口３０ｈは、切り込み３０ｃ及び回動軸線３９によって形成された側面３０ｓの端部によって、その輪郭が形成されている。このように取出開口３０ｈが形成されていることで、収容箱３０からジッパー袋１１を取り出す際に、軸線３０ａが延びる方向に見て妨げとなる部分がなくなり、ジッパー袋１１を円滑に取り出すことができる。なお、図１では、蓋部３８が開けられて取出開口３０ｈを視認できる状態を示しているが、箱入りジッパー袋１が流通に置かれているときは、蓋部３８が閉じられて切り込み３０ｃがミシン目等で接続された状態となっている。
【００２１】
上述のように構成された箱入りジッパー袋１では、ジッパー袋１１を収容箱３０から取り出す際、蓋部３８を開け、典型的には収容されているジッパー袋群１０を構成する最も外側のジッパー袋１１を正面３１側で摘み、筒状の収容箱３０の軸線３０ａが延びる方向に引き出すことで、１枚のジッパー袋１１が残りのジッパー袋群１０から分離し、１枚のジッパー袋１１を取り出すことができる。ジッパー袋１１を取り出した後は、蓋部３８を閉める。このとき、蓋部３８側の正面３１を、ポリ袋群１０が収容されている側の正面とポリ袋群１０との間に差し込むことで、蓋部３８が半開きになることを抑制することができる。
【００２２】
以上で説明した箱入りジッパー袋１によれば、ジッパー袋群１０が２回曲げ状態で収容箱３０に収容されているので、例えばジッパー袋群１０を底辺１１ｂ部分が最内部となり開口辺１１ａが最外部となるように螺旋状に巻いた場合に比べて、ジッパー袋１１を収容箱３０から取り出す際に、ジッパー袋１１がジッパー袋群１０から分離する際の摩擦抵抗を低減することができ、１枚ずつ取り出すことが容易になる。また、２回曲げ状態のジッパー袋群１０が、ジッパー１１ｚと筒状の収容箱３０の軸線３０ａとが同じ方向に延びるようにして収容箱３０に収容されているので、ジッパー１１ｚを曲げずにジッパー袋群１０が収容箱３０に収容されることとなり、収まりがよい。また、収容箱３０に収容されている２回曲げ状態のジッパー袋群１０は、ジッパー１１ｚが最外部に来るようになっているので、比較的固いジッパー１１ｚが中心部になく、ジッパー袋１１をジッパー袋群１０から分離しやすい。また、収容箱３０が細長く形成されているので、収納スペースが小さくて済む。また、ジッパー袋１１を収容箱３０から取り出す際に、収容箱３０を立てて（底面３５を最下部にした状態で）使用すれば、取り出そうとするジッパー袋１１を引き上げることとなるため、収容箱３０に残るジッパー袋群１０に重力が作用することと相俟って、ジッパー袋群１０からのジッパー袋１１の分離がより円滑になる。
【００２３】
以上の説明では、第１の辺が開口辺１１ａであり、第２の辺が底辺１１ｂであることとしたが、第１の辺が底辺１１ｂで、第２の辺が開口辺１１ａであってもよい。この場合、２回曲げ状態のジッパー袋群１０において、ジッパー１１ｚが最内部に来ることとなるが、ジッパー袋群１０の最内部のジッパー袋１１のジッパー１１ｚ付近を摘んで引き出すことで、ジッパー袋１１を比較的容易にジッパー袋群１０から分離することができる。
【００２４】
以上の説明では、収容箱３０が直方体状に形成されていることとしたが、水平断面が三角形や五角形等の多角形に形成された筒状や、円筒状あるいは楕円筒状に形成されていてもよい。
【００２５】
以上の説明では、シート状物（シート状物群）がジッパー袋１１（ジッパー袋群１０）であるとしたが、矩形に裁断されたクッキングシート（典型的にはパーチメント紙にシリコーン樹脂加工を施したもの）等の、ジッパー袋１１以外のものであってもよい。
【符号の説明】
【００２６】
１    箱入りジッパー袋
１０  ジッパー袋群
１１  ジッパー袋
１１ａ  開口辺
１１ｂ  底辺
１１ｃ  曲げ部分
１１ｈ  ジッパー開口
１１ｚ  ジッパー
３０  収容箱
３０ｈ  取出開口
３０ｓ  側面
３１  正面
３２  左側面
３３  背面
３４  右側面
【図１】
2015113141.tif 000003
【図２】
2015113141.tif 000004
【図３】
2015113141.tif 000005
【図４】
2015113141.tif 000006